(57)【要約】  放電灯点灯装置は、直流電圧を高周波電圧に変換するインバータ４と、このインバータ４の出力端に１次巻線Ｐ１が接続された低圧用の絶縁トランスＴ１と、複数の昇圧トランスＴ２〜Ｔ５とを有し、絶縁トランスＴ１の２次巻線Ｓ１に複数の昇圧トランスの各々の昇圧トランスＴ２〜Ｔ５の１次巻線Ｐ２〜Ｐ５が直列に接続された第１直列回路が接続され、各々の昇圧トランスＴ２〜Ｔ５の２次巻線Ｓ２〜Ｓ５に１以上の放電灯１１〜１４が接続されている。
2008053514.tif 000002
【特許請求の範囲】
【請求項１】
直流電圧を高周波電圧に変換するインバータと、
このインバータの出力端に１次巻線が接続された低圧用の絶縁トランスと、
複数の昇圧トランスとを有し、
前記絶縁トランスの２次巻線に前記複数の昇圧トランスの各々の昇圧トランスの１次巻線が直列に接続された第１直列回路が接続され、前記各々の昇圧トランスの２次巻線に１以上の放電灯が接続されている放電灯点灯装置。
【請求項２】
前記インバータは、交流電圧を整流して直流電圧を出力する直流電源と、
この直流電源の両端に接続され、第１スイッチング素子と第２スイッチング素子とが直列に接続された第２直列回路と、
前記第１スイッチング素子と前記第２スイッチング素子との接続点と前記直流電源の一端との間に接続され、リアクトルとコンデンサと前記絶縁トランスの１次巻線とが直列に接続された第３直列回路と、
を有する請求項１記載の放電灯点灯装置。
【請求項３】
前記インバータは、交流電圧を整流して直流電圧を出力する直流電源と、
この直流電源の両端に接続され、第１スイッチング素子と第２スイッチング素子とが直列に接続された第２直列回路と、
前記第１スイッチング素子と前記第２スイッチング素子との接続点と前記直流電源の一端との間に接続され、コンデンサと前記絶縁トランスの１次巻線とが直列に接続された第３直列回路と、
を有する請求項１記載の放電灯点灯装置。
【請求項４】
前記第１直列回路に流れる電流が所定値になるように前記第１スイッチング素子と前記第２スイッチング素子とを交互にオン／オフさせる制御部を有する請求項２又は請求項３記載の放電灯点灯装置。
【請求項５】
前記各々の昇圧トランスの前記２次巻線に接続される前記１以上の放電灯に流れる電流を前記複数の昇圧トランスについて合計した合計電流に基づき前記第１直列回路に流れる電流が所定値になるように前記第１スイッチング素子と前記第２スイッチング素子とを交互にオン／オフさせる制御部を有する請求項２又は請求項３記載の放電灯点灯装置。
【請求項６】
前記複数の昇圧トランスの内のいずれか１つの昇圧トランスの前記２次巻線に接続される前記１以上の放電灯に流れる電流に基づき前記第１直列回路に流れる電流が所定値になるように前記第１スイッチング素子と前記第２スイッチング素子とを交互にオン／オフさせる制御部を有する請求項２又は請求項３記載の放電灯点灯装置。
【発明の詳細な説明】
【技術分野】
【０００１】
本発明は、複数の冷陰極放電灯（ＣＣＦＬ：Cold Cathode Fluorescent Lamp）、外部電極蛍光灯や蛍光灯等の放電灯を点灯させる放電灯点灯装置に関する。
【背景技術】
【０００２】
図１は従来の放電灯点灯装置の例１の構成を示す図である。この放電灯点灯装置は、交流電源１、交流電源１の交流電圧を直流電圧に変換するＡＣ／ＤＣコンバータ３、変換された直流電圧を制御回路１０によりスイッチング素子Ｑ１とスイッチング素子Ｑ２とを交互にオン／オフさせることにより高周波電圧に変換するインバータ４、変換された高周波電圧を１０００Ｖ〜２０００Ｖに昇圧する複数の昇圧トランスＴ２〜Ｔ５、昇圧された高周波電圧により点灯する冷陰極放電灯からなる放電灯１１〜１４、放電灯１１〜１４に流れる電流を検出する電流検出部２１〜２４から構成されている。複数の昇圧トランスＴ２〜Ｔ５の各々のトランスの１次巻線は、コンデンサＣ１を介してスイッチング素子Ｑ２に並列に接続されている。【０００３】
この放電灯点灯装置は、ＡＣ／ＤＣコンバータ３により１次側と２次側との絶縁を行っているため、昇圧トランスＴ２〜Ｔ５では絶縁を行う必要がない。また、ＡＣ／ＤＣコンバータ３は低圧（例えば２４Ｖ）であるので、沿面距離が小さくて済む。さらに、絶縁構造や絶縁規格等を考慮する必要がないため、昇圧トランスＴ２〜Ｔ５を小型化できるメリットがあり、この放電灯点灯装置は、現在、最も多く流通されている。【０００４】
しかし、この放電灯点灯装置は、ＡＣ／ＤＣコンバータ３及び昇圧トランスＴ２〜Ｔ５の２段で電力変換を行うため、効率及び価格の面で不利である。また、各放電灯１１〜１４の電流をバランスさせる手段は、昇圧トランスＴ２〜Ｔ５の１次巻線及び２次巻線間のリーケージインダクタンスに依存する。このため、各放電灯１１〜１４及び昇圧トランスＴ２〜Ｔ５のばらつきにより流れる電流に偏差が生じ、各放電灯１１〜１４又は昇圧トランスＴ２〜Ｔ５のばらつきが大きい場合、各放電灯１１〜１４の電流平衡度が悪化する。【０００５】
そこで、ＡＣ／ＤＣコンバータ３を削除し、１次側電源に直接にインバータを接続する放電灯点灯装置が考案されている。この放電灯点灯装置は、交流電源の交流電圧を整流して直流電圧を出力する直流電源、もしくは、力率改善回路（ＰＦＣ）を介して生成した直流電源に直接にインバータを接続する方式である。【０００６】
図２は従来の放電灯点灯装置の例２の構成を示す図である。この放電灯点灯装置は、交流電源１の交流電圧をＰＦＣを含む整流回路２により整流して直流電圧を生成し、直流電圧をスイッチング素子Ｑ１とスイッチング素子Ｑ２とを交互にオン／オフさせることにより高周波電圧に変換し、絶縁トランスＴ１ａにより絶縁を行い、且つ絶縁トランスＴ１ａの２次巻線Ｓ１には、放電灯１１〜１４を点灯させるのに十分な１０００Ｖ〜２０００Ｖの高圧の高周波電圧を発生させる。【０００７】
しかし、絶縁トランスＴ１ａの２次巻線Ｓ１に複数の放電灯１１〜１４が接続された場合、次のような問題が発生することがある。冷陰極放電灯からなる放電灯は、一般的に、負性抵抗特性を有する。点灯開始に必要な電圧が放電灯に印加されて放電灯が点灯を開始すると、それ以降、点灯を維持するために必要な電圧は、点灯開始に必要な電圧よりも低い。また、放電灯に流れる電流が大きいほど、放電灯に必要な電圧は小さくなる。また、複数の放電灯を点灯させる場合、複数の放電灯が同時に点灯することはなく、各放電灯の点灯にはある時間差がある。【０００８】
従って、まず１本の放電灯が点灯し、絶縁トランスＴ１ａの２次巻線Ｓ１に電流が流れる。絶縁トランスＴ１ａの２次巻線Ｓ１はリーケージインダクタンスや抵抗成分等のインピーダンスを有するため、電圧降下が生じる。このため、残りの放電灯が点灯するのに十分な電圧を発生できない可能性がある。【０００９】
このため、バラスト素子からなるバランサトランスＴ６〜Ｔ８は、各放電灯１１〜１４に直列に挿入されることによって残りの放電灯が点灯するのに十分な電圧を発生するようにしている。バランサトランスＴ６〜Ｔ８はコモンコイルからなり、バランサトランスＴ６は、放電灯１１の電流と放電灯１２の電流との値が同じになるように電圧を発生し、バランサトランスＴ７は、放電灯１３の電流と放電灯１４の電流との値が同じになるように電圧を発生する。２本の放電灯の電流値が全く等しい場合、２つの巻線（１次巻線と２次巻線）に流れる電流が等しくなり、バランサトランスのコアの磁束が打ち消されるため、巻線に発生する電圧はゼロである。【００１０】
なお、放電灯点灯装置として、日本国特開平１１−２３８５８９号公報は、インバータ部と、インバータ部の出力段に接続され、インダクタと第１コンデンサとが直列に接続されている第１の共振回路と、少なくとも１つのコンデンサを有する第２の共振回路と、複数の放電灯からなる負荷回路と、インバータ部の発振周波数を変化させることにより放電灯を調光点灯させる発振制御部を備える。第１の共振回路の第１コンデンサの両端には、第２の共振回路と負荷回路が直列に接続され、第２の共振回路と負荷回路が、各放電灯のランプ電流が等しくなるように構成され、且つ、調光点灯時のインバータ部の発振周波数が第１の共振回路の固有振動周波数の近傍に設定されている。このため、複数の放電灯を低光束まで安定に点灯させることができ、且つ放電灯間の光出力差を小さくすることができる。
【発明の開示】
【００１１】
しかしながら、１灯を点灯する時（片側未点灯時）などの場合、片方の巻線にしか電流が流れず、その場合、巻線には数１００Ｖ程度の電圧が発生する。この電圧は、点灯していない放電灯を点灯させるために利用される。従って、バランサトランスは、一般的に高い電圧を発生させることが必要である。高い電圧を発生させるためには、巻数を増やしてインダクタンスを大きくとる必要がある。また、バランサトランスの耐圧確保のため、スロット分割巻き等の構造的配慮が必要になる。このため、バランサトランスはこの用途専用のものとして開発製造されるため、高価になっている。
【００１２】
また、絶縁トランスＴ１ａは昇圧トランスとしても機能し、放電灯１１〜１４を点灯させるのに充分な１０００Ｖ〜２０００Ｖ程度の高圧高周波電圧を発生させる。このため、この絶縁トランスＴ１ａも巻数を増やしてインダクタンスを大きくとる必要がある。また、絶縁トランスＴ１ａの耐圧確保のため、スロット分割巻き、及び安全規格を満足させるために１次巻線及び２次巻線間の沿面距離を大きくする必要があるなど、絶縁トランスＴ１ａが大型化し、高価になってしまう。
【００１３】
また、日本国特開平１１−２３８５８９号公報に開示された放電灯点灯装置は、第１の共振回路、第２の共振回路、発振制御部等を設けているため、装置の構成が複雑でしかも高価になるという問題がある。
【００１４】
本発明の目的は、小型且つ高効率で安価な放電灯点灯装置を提供することにある。
【００１５】
上記目的を達成するするために、第１の発明は、直流電圧を高周波電圧に変換するインバータと、このインバータの出力端に１次巻線が接続された低圧用の絶縁トランスと、複数の昇圧トランスとを有し、前記絶縁トランスの２次巻線に前記複数の昇圧トランスの各々の昇圧トランスの１次巻線が直列に接続された第１直列回路が接続され、前記各々の昇圧トランスの２次巻線に１以上の放電灯が接続されている。
【００１６】
第２の発明は、第１の発明の放電灯点灯装置において、前記インバータは、交流電圧を整流して直流電圧を出力する直流電源と、この直流電源の両端に接続され、第１スイッチング素子と第２スイッチング素子とが直列に接続された第２直列回路と、前記第１スイッチング素子と前記第２スイッチング素子との接続点と前記直流電源の一端との間に接続され、リアクトルとコンデンサと前記絶縁トランスの１次巻線とが直列に接続された第３直列回路とを有する。
【００１７】
第３の発明は、第１の発明の放電灯点灯装置において、前記インバータは、交流電圧を整流して直流電圧を出力する直流電源と、この直流電源の両端に接続され、第１スイッチング素子と第２スイッチング素子とが直列に接続された第２直列回路と、前記第１スイッチング素子と前記第２スイッチング素子との接続点と前記直流電源の一端との間に接続され、コンデンサと前記絶縁トランスの１次巻線とが直列に接続された第３直列回路とを有する。
【００１８】
第４の発明は、第２の発明又は第３の発明の放電灯点灯装置において、前記第１直列回路に流れる電流が所定値になるように前記第１スイッチング素子と前記第２スイッチング素子とを交互にオン／オフさせる制御部を有する。
【００１９】
第５の発明は、第２の発明又は第３の発明の放電灯点灯装置において、前記各々の昇圧トランスの前記２次巻線に接続される前記１以上の放電灯に流れる電流を前記複数の昇圧トランスについて合計した合計電流に基づき前記第１直列回路に流れる電流が所定値になるように前記第１スイッチング素子と前記第２スイッチング素子とを交互にオン／オフさせる制御部を有する。
【００２０】
第６の発明は、第２の発明又は第３の発明の放電灯点灯装置において、前記複数の昇圧トランスの内のいずれか１つの昇圧トランスの前記２次巻線に接続される前記１以上の放電灯に流れる電流に基づき前記第１直列回路に流れる電流が所定値になるように前記第１スイッチング素子と前記第２スイッチング素子とを交互にオン／オフさせる制御部を有する。
【００２１】
第１の発明乃至第３の発明によれば、放電灯点灯装置は、１次側の直流電源にインバータを直接接続し、低圧用の絶縁トランスで絶縁し、絶縁トランスの絶縁出力に複数の昇圧トランスの各々の１次巻線を直列に接続して昇圧して、放電灯を点灯するので、特別なバランス回路がなくても放電灯に流れる電流は略同一となり、変換段数が１段となるため損失が少ない。また、絶縁トランスの２次巻線には高圧電圧が必要ではないため、一般にスイッチング電源等で用いられている絶縁トランスを使用できる。従って、小型で高効率で安価な放電灯点灯装置を提供できる。
【００２２】
また、第４の発明乃至第６の発明によれば、電流が所定値になるように制御部が第１スイッチング素子と第２スイッチング素子とを交互にオン／オフさせるので、各放電灯の電流を一定値にすることができる。
【図面の簡単な説明】
【００２３】
【図１】図１は、従来の放電灯点灯装置の例１の構成を示す図である。
【図２】図２は、従来の放電灯点灯装置の例２の構成を示す図である。
【図３】図３は、本発明の実施例１に係る放電灯点灯装置の構成を示す図である。
【図４】図４は、本発明の実施例２に係る放電灯点灯装置の構成を示す図である。
【図５】図５は、本発明の実施例３に係る放電灯点灯装置の構成を示す図である。
【図６】図６は、本発明の実施例４に係る放電灯点灯装置の構成を示す図である。
【図７】図７は、本発明の実施例５に係る放電灯点灯装置の構成を示す図である。
【図８】図８は、本発明の実施例６に係る放電灯点灯装置の構成を示す図である。
【図９】図９は、本発明の実施例７に係る放電灯点灯装置の構成を示す図である。
【発明を実施するための最良の形態】
【００２４】
以下、本発明の実施の形態を図面を参照しながら詳細に説明する。【００２５】
（実施例１）
図３は本発明の実施例１に係る放電灯点灯装置の構成を示す図である。この放電灯点灯装置は、交流電源１、ＰＦＣを含む整流回路２、インバータ４、低圧用の例えば２４Ｖ出力の絶縁トランスＴ１、例えば１０００Ｖ〜２０００Ｖに昇圧する昇圧トランスＴ２〜Ｔ５（本発明の複数の昇圧トランスに対応）、放電灯１１〜１４から構成されている。放電灯１１〜放電灯１４は、例えば冷陰極管、外部電極蛍光灯、蛍光灯等から構成されており、ここでは、冷陰極管を用いる。【００２６】
整流回路２は、交流電源１の交流電圧を整流するとともに力率を改善して直流電圧をインバータ４に出力する。交流電源１及び整流回路２は、本発明の直流電源に対応する。【００２７】
インバータ４は、ＭＯＳＦＥＴ等からなるスイッチング素子Ｑ１、ＭＯＳＦＥＴ等からなるスイッチング素子Ｑ２、制御回路１０（本発明の制御部に対応）、コンデンサＣ１、リアクトルＬ１から構成されている。インバータ４は、直流電圧を制御回路１０によりスイッチング素子Ｑ１とスイッチング素子Ｑ２とを交互にオン／オフさせることにより高周波電圧に変換するとともに、リアクトルＬ１とコンデンサＣ１とで共振させて正弦波の高周波電圧を絶縁トランスＴ１の１次巻線Ｐ１に発生させる。【００２８】
スイッチング素子Ｑ１及びスイッチング素子Ｑ２は直列に接続され、整流回路２に並列に接続されている。スイッチング素子Ｑ１とスイッチング素子Ｑ２との接続点には、コンデンサＣ１の一端が接続され、コンデンサＣ１の他端はリアクトルＬ１を介して絶縁トランスＴ１の１次巻線Ｐ１に接続されている。リアクトルＬ１は、絶縁トランスＴ１の１次巻線Ｐ１及び２次巻線Ｓ１間のリーケージインダクタンスからなる。【００２９】
絶縁トランスＴ１の２次巻線Ｓ１の両端に複数の昇圧トランスＴ２〜Ｔ５の各々の１次巻線Ｐ２〜Ｐ５が直列に接続された第１直列回路と電流検出部２０とが直列に接続されている。昇圧トランスＴ２の２次巻線Ｓ２の両端には放電灯１１が接続され、昇圧トランスＴ３の２次巻線Ｓ３の両端には放電灯１２が接続され、昇圧トランスＴ４の２次巻線Ｓ４の両端には放電灯１３が接続され、昇圧トランスＴ５の２次巻線Ｓ５の両端には放電灯１４が接続されている。【００３０】
電流検出部２０は、第１直列回路に流れる電流を検出する。制御回路１０は、電流検出部２０で検出された電流が所定値になるようにスイッチング素子Ｑ１とスイッチング素子Ｑ２とを交互にオン／オフさせる。スイッチング素子Ｑ１とスイッチング素子Ｑ２とをオン／オフデューティ制御することにより電流を制御する。【００３１】
次にこのように構成された実施例１の放電灯点灯装置の動作を説明する。まず、交流電源１の交流電圧を整流回路２により整流して得られた直流電圧は、スイッチング素子Ｑ１とスイッチング素子Ｑ２を交互にオン／オフしてコンデンサＣ１とリアクトルＬ１により正弦波の高周波電圧に変換される。【００３２】
変換された高周波電圧は、絶縁トランスＴ１により変圧されて、昇圧トランスＴ２〜Ｔ５の直列に接続された１次巻線Ｐ２〜Ｐ５に印加される。この電圧により各昇圧トランスＴ２〜Ｔ５の１次巻線Ｐ２〜Ｐ５には、同一の電流が流れる。【００３３】
ここで、昇圧トランスＴ２〜Ｔ５の励磁インピーダンスが、入力に換算した放電灯１１〜１４の点灯時のインピーダンスよりも十分に高い場合には、昇圧トランスＴ２〜Ｔ５は、変流器として動作し、各放電灯１１〜１４に同一の電流を供給することができる。また、放電灯１１〜１４の内の１灯が不点灯の場合には、不点灯の昇圧トランスのインピーダンスが高くなり、電圧が上昇するため、不点灯の放電灯を点灯させることができる。このため、特別なバランス回路が不要になる。【００３４】
また、昇圧トランスＴ２〜Ｔ５の１次電流は、各放電灯１１〜１４の電流に比例する。このため、絶縁トランスＴ１の２次巻線側で電流検出部２０が電流を検出し、制御回路１０は、電流検出部２０で検出された電流が所定値になるようにスイッチング素子Ｑ１とスイッチング素子Ｑ２とを交互にオン／オフデューティ制御によりオン／オフさせる。これにより、放電灯１１〜１４の電流を一定値にすることができる。【００３５】
絶縁トランスＴ１の２次電圧は、昇圧トランスＴ２〜Ｔ５の昇圧比により任意に設定できるため、安全規格のＳＥＬＶ（safety extra low voltage）対応にすることもできる。また、絶縁トランスＴ１は低圧用であるので、絶縁トランスＴ１の沿面距離を短くすることができ、絶縁トランスＴ１で１次側と２次側の絶縁を行っているので、昇圧トランスＴ２〜Ｔ５では絶縁を行う必要がない。【００３６】
また、電流検出を低圧側で行えるため、電流検出部２０を小型化できる。また、絶縁トランスＴ１の２次巻線Ｓ１には高圧電圧が必要ではないため、一般にスイッチング電源等で用いられている絶縁トランスを使用できる。また、ＡＣ／ＤＣコンバータ３を用いないことから、変換段数が１段となるために変換損失が減少し効率が向上できる。従って、小型で高効率で安価な放電灯点灯装置を提供できる。【００３７】
（実施例２）
図４は本発明の実施例２に係る放電灯点灯装置の構成を示す図である。図４に示す実施例２に係る放電灯点灯装置は、図３に示す実施例１に係る放電灯点灯装置に対して、リアクトルＬ１が削除され、スイッチング素子Ｑ２の両端にコンデンサＣ１と絶縁トランスＴ１の１次巻線Ｐ１との直列回路が接続されている点が異なるのみで、その他の構成は同一である。【００３８】
このように実施例２の放電灯点灯装置によっても、実施例１の放電灯点灯装置の効果と同様な効果が得られる。【００３９】
（実施例３）
図５は本発明の実施例３に係る放電灯点灯装置の構成を示す図である。図５に示す実施例３に係る放電灯点灯装置は、放電灯１１〜１４に流れる電流を昇圧トランスＴ２〜Ｔ５の２次巻線側（放電灯側）で検出した場合の例である。【００４０】
昇圧トランスＴ２の２次巻線Ｓ２の両端には放電灯１１と電流検出部２１との直列回路が接続され、電流検出部２１は放電灯１１に流れる電流を検出する。昇圧トランスＴ３の２次巻線Ｓ３の両端には放電灯１２と電流検出部２２との直列回路が接続され、電流検出部２２は放電灯１２に流れる電流を検出する。昇圧トランスＴ４の２次巻線Ｓ４の両端には放電灯１３と電流検出部２３との直列回路が接続され、電流検出部２３は放電灯１３に流れる電流を検出する。昇圧トランスＴ５の２次巻線Ｓ５の両端には放電灯１４と電流検出部２４との直列回路が接続され、電流検出部２４は放電灯１４に流れる電流を検出する。加算器３０は、電流検出部２１〜２４で検出された各々の電流を加算して合計電流を制御回路１０ａに出力する。【００４１】
制御回路１０ａは、加算器３０からの合計電流に基づき昇圧トランスＴ２〜Ｔ５の１次巻線Ｐ２〜Ｐ５が直列に接続された直列回路に流れる電流が所定値になるようにスイッチング素子Ｑ１とスイッチング素子Ｑ２とを交互にオン／オフデューティ制御によりオン／オフさせる。【００４２】
このように実施例３の放電灯点灯装置によれば、制御回路１０ａが、電流検出部２１〜２４で検出された各々の電流を合計した合計電流に基づきスイッチング素子Ｑ１とスイッチング素子Ｑ２とをオン／オフデューティ制御により交互にオン／オフさせて、昇圧トランスＴ２〜Ｔ５の１次巻線Ｐ２〜Ｐ５が直列に接続された直列回路に流れる電流を所定値に制御する。【００４３】
即ち、実施例１の放電灯点灯装置では、電流検出部２０が昇圧トランスＴ２〜Ｔ５の励磁電流を含む電流を検出しているのに対して、実施例３では、電流検出部２１〜２４が放電灯１１〜１４に流れる電流を直接的に検出するので、昇圧トランスＴ２〜Ｔ５の励磁電流による誤差を除くことができ、より精度の良い電流を放電灯１１〜１４に供給することができる。【００４４】
なお、図５に示す実施例３の放電灯点灯装置の構成に対して、図４に示す実施例２の放電灯点灯装置の構成と同様にリアクトルＬ１を削除しても良い。【００４５】
（実施例４）
図６は本発明の実施例４に係る放電灯点灯装置の構成を示す図である。図５に示す実施例３の放電灯点灯装置では、加算器３０による電流検出部２１〜２４の合計電流を用いて制御回路１０ａが放電灯１１〜１４に流れる電流値を制御した。【００４６】
これに対して、図６に示す実施例４に係る放電灯点灯装置は、昇圧トランスＴ２の２次巻線Ｓ２と放電灯１１との直列回路に流れる電流を検出する電流検出部２１と、電流検出部２１で検出された電流に基づき昇圧トランスＴ２〜Ｔ５の１次巻線Ｐ２〜Ｐ５が直列に接続された第１直列回路に流れる電流が所定値になるようにスイッチング素子Ｑ１とスイッチング素子Ｑ２とを交互にオン／オフさせる制御部１０ａとを有する。【００４７】
即ち、この放電灯点灯装置は、加算器３０を用いることなく、電流検出部２１のみの電流を用いて制御回路１０ａにより放電灯１１〜１４に流れる電流値を制御することができる。これにより、電流検出部が少なくなり、装置が安価となる。【００４８】
なお、実施例４では、電流検出部２１は、昇圧トランスＴ２の２次巻線Ｓ２に接続されたが、電流検出部２１は、昇圧トランスＴ３〜Ｔ５の２次巻線Ｓ３〜Ｓ５のいずれか１つに接続されても良い。【００４９】
（実施例５）
図７は本発明の実施例５に係る放電灯点灯装置の構成を示す図である。図５に示す実施例３の放電灯点灯装置は、電流検出部２１〜２４で検出された放電灯１１〜１４に流れる電流を加算器３０で合計して合計電流を制御部１０ａに出力した。【００５０】
これに対して、図７に示す実施例５の放電灯点灯装置は、放電灯１１〜１４に流れる電流を集計した合計電流を電流検出部２１で検出して、この合計電流を制御部１０ａに出力する。【００５１】
昇圧トランスＴ２の２次巻線Ｐ２と放電灯１１との直列回路と、昇圧トランスＴ３の２次巻線Ｐ３と放電灯１２との直列回路と、昇圧トランスＴ４の２次巻線Ｐ４と放電灯１３との直列回路と、昇圧トランスＴ５の２次巻線Ｐ５と放電灯１４との直列回路との４つの直列回路が設けられる。【００５２】
電流検出部２１は、一端が昇圧トランスＴ２〜Ｔ５の２次巻線Ｓ２〜Ｓ５の全ての一端（４つの直列回路の全ての一端）に接続され、他端が放電灯１１〜１４の全ての一端（４つの直列回路の全ての他端）に接続され４つの直列回路に流れる電流を合計した合計電流を検出する。【００５３】
制御部１０ａは、電流検出部２１で検出された合計電流に基づき第１直列回路に流れる電流が所定値になるようにスイッチング素子Ｑ１とスイッチング素子Ｑ２とを交互にオン／オフさせる。【００５４】
このように実施例５の放電灯点灯装置によっても、実施例３の放電灯点灯装置の効果と同様な効果が得られる。また、電流検出部が少なくなり、装置が安価となる。【００５５】
（実施例６）
図８は本発明の実施例６に係る放電灯点灯装置の構成を示す図である。図８に示す実施例６に係る放電灯点灯装置において、昇圧トランスＴ２ａの２次巻線Ｓ２ａと２次巻線Ｓ２ｂとの直列回路の両端に、放電灯１１ａと放電灯１１ｂとの直列回路が接続されている。昇圧トランスＴ３ａの２次巻線Ｓ３ａと２次巻線Ｓ３ｂとの直列回路の両端に、放電灯１２ａと放電灯１２ｂとの直列回路が接続されている。昇圧トランスＴ４ａの２次巻線Ｓ４ａと２次巻線Ｓ４ｂとの直列回路の両端に、放電灯１３ａと放電灯１３ｂとの直列回路が接続されている。昇圧トランスＴ５ａの２次巻線Ｓ５ａと２次巻線Ｓ５ｂとの直列回路の両端に、放電灯１４ａと放電灯１４ｂとの直列回路が接続されている。【００５６】
図８に示すその他の構成は、図３に示す実施例１に係る放電灯点灯装置の構成と同一である。【００５７】
このように実施例６の放電灯点灯装置によれば、放電灯を２個直列に接続して、１個の昇圧トランスで電力を供給したので、昇圧トランスの個数を半減することができる。【００５８】
なお、図８に示す実施例６の放電灯点灯装置の構成に対して、図４に示す実施例２の放電灯点灯装置の構成と同様にリアクトルＬ１を削除しても良い。【００５９】
（実施例７）
図９は本発明の実施例７に係る放電灯点灯装置の構成を示す図である。図９に示す実施例７に係る放電灯点灯装置は、図８に示す実施例６の放電灯点灯装置の構成に対して、放電灯１１ａ，１１ｂ〜１４ａ，１４ｂに流れる電流を昇圧トランスＴ２ａ〜Ｔ５ａの２次巻線側（放電灯側）で検出した場合の例である。【００６０】
昇圧トランスＴ２ａの２次巻線Ｓ２ａと２次巻線Ｓ２ｂとの直列回路の両端には放電灯１１ａと電流検出部２１と放電灯１１ｂとの直列回路が接続され、電流検出部２１は放電灯１１ａ，１１ｂに流れる電流を検出する。昇圧トランスＴ３ａの２次巻線Ｓ３ａと２次巻線Ｓ３ｂとの直列回路の両端には放電灯１２ａと電流検出部２２と放電灯１２ｂとの直列回路が接続され、電流検出部２２は放電灯１２ａ，１２ｂに流れる電流を検出する。【００６１】
昇圧トランスＴ４ａの２次巻線Ｓ４ａと２次巻線Ｓ４ｂとの直列回路の両端には放電灯１３ａと電流検出部２３と放電灯１３ｂとの直列回路が接続され、電流検出部２３は放電灯１３ａ，１３ｂに流れる電流を検出する。昇圧トランスＴ５ａの２次巻線Ｓ５ａと２次巻線Ｓ５ｂとの直列回路の両端には放電灯１４ａと電流検出部２４と放電灯１４ｂとの直列回路が接続され、電流検出部２４は放電灯１４ａ，１４ｂに流れる電流を検出する。加算器３０は、電流検出部２１〜２４で検出された各々の電流を加算して合計電流を制御回路１０ａに出力する。【００６２】
制御回路１０ａは、加算器３０からの合計電流に基づき昇圧トランスＴ２ａ〜Ｔ５ａの１次巻線Ｐ２〜Ｐ５が直列に接続された直列回路に流れる電流が所定値になるようにスイッチング素子Ｑ１とスイッチング素子Ｑ２とを交互にオン／オフデューティ制御によりオン／オフさせる。【００６３】
このように実施例７の放電灯点灯装置によれば、実施例３の放電灯点灯装置と実施例６の放電灯点灯装置とを組み合わせたので、実施例３の放電灯点灯装置の効果と実施例６の放電灯点灯装置の効果とが得られる。【００６４】
なお、図９に示す実施例７の放電灯点灯装置の構成に対して、図４に示す実施例２の放電灯点灯装置の構成と同様にリアクトルＬ１を削除しても良い。【００６５】
また、図９に示す実施例７の放電灯点灯装置の構成に対して、図６に示す実施例４の放電灯点灯装置の構成と同様に電流検出部２１のみを設けて、電流検出部２１のみの電流を用いて制御回路１０ａにより放電灯１１〜１４に流れる電流値を制御しても良い。【００６６】
また、図９に示す実施例７の放電灯点灯装置の構成に対して、図７に示す実施例５の放電灯点灯装置の構成と同様に電流検出部２１のみを設けて、電流検出部２１により４つの直列回路に流れる電流を合計した合計電流を検出して合計電流を用いて制御回路１０ａにより放電灯１１〜１４に流れる電流値を制御しても良い。
【産業上の利用可能性】
【００６７】
本発明は、複数の冷陰極管や外部電極蛍光灯や蛍光灯等の放電灯を点灯する放電灯点灯装置に適用可能である。
【図１】
2008053514.tif 000003
【図２】
2008053514.tif 000004
【図３】
2008053514.tif 000005
【図４】
2008053514.tif 000006
【図５】
2008053514.tif 000007
【図６】
2008053514.tif 000008
【図７】
2008053514.tif 000009
【図８】
2008053514.tif 000010
【図９】
2008053514.tif 000011
【国際調査報告】
2008053514.tif 000012
2008053514.tif 000013
2008053514.tif 000014
2008053514.tif 000015